(57)【要約】【課題】建物内のコンクリートベース側においても、型枠の支持を確実に行うことが可能であり、使用後の運搬や保管の手間の少ない振止めサポートを提供する。【解決手段】振止めサポート１０は、一端側が直角に曲げられた取付部１２で他端側がねじ部１３となっている第１棒部材１１と、一端側がねじ部１６となっている第２棒部材１５と、第２棒部材１５の他端側に取り付けられる五角形ベース形の固定板材２５と、両端側に軸方向に延びたねじ穴を有し第１棒部材１１のねじ部１３と第２棒部材１５のねじ部１６が両端のねじ穴にそれぞれ軸方向に移動可能に螺着される棒状の連結部材２１とを備える。第２棒部材１５の一端側が直角に曲げられた連結端部１７になっており、固定板材２５にパイプ状の取付筒部３１が固定されており、連結端部１７が取付筒部３１に挿嵌されて回動可能でかつ抜け止めされている。【選択図】図１
2014173349.tif 000002
【特許請求の範囲】
【請求項１】
一端側が直角に曲げられた取付部で他端側がねじ部となっている第１棒部材と、一端側がねじ部となっている第２棒部材と、該第２棒部材の他端側にて該第２棒部材に垂直に取り付けられる五角形ホームベース形状の固定板材と、両端側に軸方向に延びたねじ穴を有し前記第１棒部材のねじ部と前記第２棒部材のねじ部が該両端のねじ穴にそれぞれ軸方向に移動可能に螺着される棒状の連結部材とを備え、地面上に垂直に立設された型枠の枠片に前記取付部を着脱可能に取り付けると共に、前記固定板材を地面に固定させることにより該型枠を支持する振止めサポートにおいて、
前記第２棒部材の一端側が直角に曲げられた連結端部になっており、前記固定板材にパイプ状の取付筒部が固定されており、前記連結端部が前記取付筒部に挿嵌されて回動可能でかつ抜け止めされていることを特徴とする振止めサポート。
【請求項２】
前記連結部材が、金属製パイプであって、両端側が縮径されて内周面にねじ溝を有する取付端部となっていることを特徴とする請求項１に記載の振止めサポート。
【請求項３】
一端側が直角に曲げられた取付部で他端側がねじ部となっている第１棒部材と、一端側がねじ部となっている第２棒部材と、該第２棒部材の他端側にて該第２棒部材に垂直に取り付けられる五角形ホームベース形状の固定板材と、両端側に軸方向に延びたねじ穴を有し前記第１棒部材のねじ部と前記第２棒部材のねじ部が該両端のねじ穴にそれぞれ軸方向に移動可能に螺着される棒状の連結部材とを備え、地面上に垂直に立設された型枠の枠片に前記取付部を着脱可能に取り付けると共に、前記固定板材を地面に固定させることにより該型枠を支持する振止めサポートにおいて、
前記連結部材が、金属製パイプであって、両端側が縮径されて内周面にねじ溝を有する取付端部となっていることを特徴とする振止めサポート。
【発明の詳細な説明】
【技術分野】
【０００１】
本発明は、住宅用のコンクリート布基礎を形成する際に用いられる型枠の振れを防止するための振止めサポートに関する。
【背景技術】
【０００２】
近年、大地震に強い住宅を実現するために、建物の床全体に鉄筋を配筋してコンクリートを打つベタ基礎と言われるコンクリートベースが広く採用されるようになっており、コンクリートベース上にコンクリート布基礎が形成されるようになっている。コンクリート布基礎の形成のためには、例えば特許文献１に示すように、型枠支持金具を用いて型枠を立設させ、まず支持金具の下方の地面上にコンクリートを流し込んでコンクリートベースが敷設される。コンクリートベースの硬化後に、型枠間にコンクリートが打設されてコンクリート布基礎が形成される。このコンクリートの打設時には、コンクリートにより型枠に大きな力が加わって型枠が傾きやすいため、従来は型枠を支持するために、図９に示すような振止めサポート１が用いられている。
【０００３】
振止めサポート１は、一端側が直角に曲げられた取付片２ａで他端側がねじ部２ｂとなっている第１棒部材２が、ねじ部２ａにて棒状の連結部材３の一端側のねじ穴３ｃに螺着され、連結部材３の他端側のねじ穴３ｃに、第２棒部材４のねじ部４ａが螺着され、さらに第２棒部材４の他端に五角形ホームベース形状の固定板材５が固定されている。振止めサポート１は、規定の間隔を隔てて立設された型枠８に取付片２ａが嵌め合わされて取り付けられると共に、固定板材５を地面Ｇに差し込んで固定させることにより型枠８を支持するようになっている。
【０００４】
しかし、上記振止めサポート１は、その構造上、固定板材５を建物外側の地面Ｇに打ち込むことができるが、建物内側のコンクリートベースＢには固定板材５を打込むことができない。そのため、型枠７，８間にコンクリートを打設する際、建物内側の型枠７を支持するために従来の振止めサポート１は使用できなかった。その結果、従来は建物内側の型枠７を支持していない不安定な状態でコンクリートの打設を行わざるを得ず、型枠の傾きを適切に防止することが困難であった。また、振止めサポート１の第２棒部材２の端部に固定板材３が垂直になるように取り付けられているため、振止めサポート１の占有空間が大きくなり、多数の振止めサポート１を運搬したり保管したりする際の手間が煩雑であり、そのためのコストも大きかった。
【０００５】
また、図１０に示すように、従来の振止めサポート１の連結部材３は、鍛造加工で形成された長手方向の中間部３ａが軸直角方向にくりぬかれた空間になっており、両端側がねじ穴３ｃを有する筒部３ｂとなっており、引張方向に強いが曲げ力に対しては中間部３ａと筒部３ｂの境界での強度が弱いという問題があった。また、連結部材３が鍛造加工により製造されているため、その長さを変えることも簡単ではなかった。例えば、通常用いられている型枠よりは高さの高い型枠を使用するような場合、振止めサポートの特に連結部材を長くする必要があるが、鍛造加工による従来の連結部材では、長さの変更に簡単に対応することが困難であり、また長くすることにより強度的にも問題がある。
【先行技術文献】
【特許文献】
【０００６】
【特許文献１】特開２００１−３２５２３号公報
【発明の概要】
【発明が解決しようとする課題】
【０００７】
本発明は、上記問題を解決しようとするもので、建物内側に設けられたコンクリートベース側においても、型枠の支持を確実に行うことが可能であり、使用後の運搬や保管の手間の少ない振止めサポートを提供することを目的とする。また、本発明は、強度が高くかつ製造が容易で安価に提供され、長さの変更にも容易に対応できる連結部材を備えた振止めサポートを提供することを他の目的とする。
【課題を解決するための手段】
【０００８】
上記目的を達成するために本発明の構成上の特徴は、一端側が直角に曲げられた取付部で他端側がねじ部となっている第１棒部材と、一端側がねじ部となっている第２棒部材と、第２棒部材の他端側にて第２棒部材に垂直に取り付けられる五角形ホームベース形状の固定板材と、両端側に軸方向に延びたねじ穴を有し第１棒部材のねじ部と第２棒部材のねじ部が両端のねじ穴にそれぞれ軸方向に移動可能に螺着される棒状の連結部材とを備え、地面上に垂直に立設された型枠の枠片に取付部を着脱可能に取り付けると共に、固定板材を地面に固定させることにより型枠を支持する振止めサポートにおいて、第２棒部材の一端側が直角に曲げられた連結端部になっており、固定板材にパイプ状の取付筒部が固定されており、連結端部が取付筒部に挿嵌されて回動可能でかつ抜け止めされていることにある。
【０００９】
上記のように構成した発明においては、振止めサポートを建物内側のコンクリート製のコンクリートベース上に立設された型枠を支持する際に、第１棒部材の取付部を型枠の枠片に係止させた状態で、第２棒部材に対して固定板材を傾斜させてコンクリートベース上に載置して、コンクリートベースにくぎ等を打ち込んで固定させることにより、型枠を安定な状態で支持することができる。このように、本発明に係る振止めサポートは、従来の振止めサポートでは使用できなかったコンクリートベース上でも型枠の支持に使用することができる。また、この振止めサポートを建物外側の型枠を支持する場合は、従来の振止めサポートと同様に第２棒部材に対して固定板材を直角に保って地面に打ち込んで固定させることにより、型枠を安定な状態で支持することができる。その結果、本発明によれば、型枠を支持する側のベース面が地面であるとコンクリートベースであるとに関わらず振止めサポートを使用できるので便利である。
【００１０】
また、振止めサポートの固定板材が第２棒部材に対して回動可能であるため、振止めサポートの使用後に固定板材を回動させて第２棒部材に重ね合わせることができる。そのため、振止めサポートが平坦でコンパクトにまとめられので、その占有空間が従来のものに比べて大幅に減少する。その結果、本発明においては、多数の振止めサポートの運搬や保管の際に、そのための手間や保管スペースが大幅に削減され、そのためのコストも削減される。
【００１１】
また、本発明において、連結部材が、金属製パイプであって、両端側が縮径されて内周面にねじ溝を有する取付端部となっているものであることが好ましい。この連結部材は、金属製パイプの加工により簡易に製造可能であり、安価に提供される。また、連結部材はパイプ形状なので、引っ張り強度だけでなく曲げ強度も強くされる。さらに、連結部材は、パイプ加工により形成されるので、長さの調整も容易であるため、型枠の高さに応じた長い振止めサポートを実現するためにも寄与できる。
【００１２】
また、本発明の他の特徴は、一端側が直角に曲げられた取付部で他端側がねじ部となっている第１棒部材と、一端側がねじ部となっている第２棒部材と、第２棒部材の他端側にて第２棒部材に垂直に取り付けられる五角形ホームベース形状の固定板材と、両端側に軸方向に延びたねじ穴を有し第１棒部材のねじ部と第２棒部材のねじ部が両端のねじ穴にそれぞれ軸方向に移動可能に螺着される棒状の連結部材とを備え、地面上に垂直に立設された型枠の枠片に取付部を着脱可能に取り付けると共に、固定板材を地面に固定させることにより型枠を支持する振止めサポートにおいて、連結部材が、金属製パイプであって、両端側が縮径されて内周面にねじ溝を有する取付端部となっていることにある。
【００１３】
上記のように構成した他の特徴においては、連結部材は、鋼材パイプの加工により簡易に製造可能であり、パイプ形状なので強度も確保できる。さらに、パイプ加工により形成されるので、長さの調整も可能であるため、型枠の高さに応じた長い振止めサポートを実現するためにも寄与できる。
【発明の効果】
【００１４】
本発明においては、第２棒部材の一端側が直角に曲げられた連結端部になっており、固定板材にパイプ状の取付筒部が固定されており、連結端部が取付筒部に挿嵌されて回動可能にかつ抜け止めされていることにより、従来の振止めサポートでは使用できなかったコンクリートベース上でも型枠の支持に使用することができる。その結果、本発明においては、型枠を支持する側のベース面が地面であるとコンクリートであるとに関わらず振止めサポートを使用できるので便利である。また、本発明においては、連結部材が鋼材パイプの加工により簡易に製造可能であり、パイプ形状なので強度も確保でき、長さの調整も容易であるため、長さが必要な振止めサポートを実現するために寄与できる。
【図面の簡単な説明】
【００１５】
【図１】本発明の一実施例である振止めサポートの使用状態を概略的に示す正面図である。
【図２】振止めサポートの使用状態を概略的に示す平面図である。
【図３】連結部材を拡大して示す拡大図である。
【図４】固定板材への第２棒部材の取り付け部分を拡大して示す拡大平面図である。
【図５】固定板材への第２棒部材の取り付け部分を拡大して示す拡大正面図である。
【図６】固定板材を概略的に示す平面図である。
【図７】連結端部の先端のプレス加工の状態を概略的に示す拡大断面図である。
【図８】図７のＸ−Ｘ線方向を示すＸ−Ｘ線方向拡大面図である。
【図９】従来例である振止めサポートの使用状態を概略的に示す正面図である。
【図１０】従来例である振止めサポートの連結部材を拡大して示す拡大図である。
【発明を実施するための形態】
【００１６】
以下、本発明の実施の形態について図面を用いて説明する。図１、図２は一実施例である住宅等のコンクリート布基礎の形成に用いるために地面上に立設される一対の型枠を内外両側から支持する振止めサポートの使用状態を正面図及び平面図により示したものである。振止めサポート１０は、鉄製で長尺部材であって、第１棒部材１１と、第２棒部材１５と、第１棒部材１１と第２棒部材１５とを長手方向に連結する連結部材２１と、第２棒部材１５の他端側に取り付けられる固定板材２５とを備えている。
【００１７】
第１棒部材１１は、真っ直ぐな鉄棒の一端側が直角に曲げられた取付部１２となっており、他端側がねじ部１３となっている。第２棒部材１５は、真っ直ぐな鉄棒の一端側がねじ部１６となっており、他端側が直角に曲げられた連結端部１７となっている。連結部材２１は、図３に示すように、鉄製の中空パイプで長手方向中間にて径方向に貫通した貫通孔２２を設けており、両端がしぼり加工により縮径した取付端部２３となっている。取付端部２３の軸方向に貫通する内周面には、ねじ孔２４が形成されている。連結部材２１は、鉄製パイプに絞り加工を施すことにより簡単に形成され、またその長さを容易に変更することも可能である。一対の取付端部２３のねじ孔２４には、第１棒部材１１がねじ部１３にて螺着され、また第２棒部材１５がねじ部１６にて螺着されている。そのため、振止めサポート１０は、ねじ部１３，１６の長さの範囲で全体の長さ調整が可能になっている。
【００１８】
固定板材２５は、図６に示すように、鉄製でホームベース形状の５角形の平板であり、長方形の基部２６とその一辺から２等辺三角形形状に延びた打込み部２７とにより構成されている。固定板材２５の５角形の各角の近傍には固定孔２８が設けられている。固定板材２５には、打込み部２７の頂点２７ａ〜基部２６の対向する片に垂直に延びた対称線Ｌ上を中心として両側に広がる対称形状の取付孔２９が板面を打ち抜いて設けられている。取付孔２９は、基部２６側の幅の狭く長さの長い縦穴２９ａと、打込み部２７側の幅が広く長さが短い横穴２９ｂとによりＴ字形状となっている。縦穴２９ａは、長さが後述する短尺パイプからなる取付筒部３１と同等で、幅が取付筒部３１の外径より小さくなっている。横穴２９ｂは、幅が取付筒部３１の外径よりわずかに大きくなっている
【００１９】
図４、図５に示すように、縦穴２９ａ内には、取付筒部３１の一部分が長手方向を揃えて嵌め合わされて固定板材２５上に位置決めされた状態で安定して載置されており、溶接によって固定板材２５に固定されている。取付孔２９を縦穴２９ａと横穴２９ｂとでＴ字状に形成したことにより、取付筒部３１の位置決めが容易になると共に、溶接が容易になり溶接の強度も高められる。取付筒部３１には、第２棒部材１５の連結端部１７が挿嵌されており、連結端部１７の先端は取付筒部３１から突出して横穴２９ｂの長さの範囲内に突出している。連結端部１７の突出部分は、径方向に潰された止め部１８となっている。これにより、連結端部１７が取付筒部３１に回動可能に取り付けられて、取付筒部３１から抜けないようにされている。
【００２０】
止め部１８の形成について、図７、図８により説明する。取付筒部３１が固定された固定板材２５が台Ｖ上に載置され、第２棒部材１５の連結端部１７が取付筒部３１の軸孔３１ａに挿通される。取付筒部３１から突出した連結端部１７の突出部分が、軸方向に対して直交したＵ字状のプレス金型Ｋ１，Ｋ２によって横穴２９ｂの下方と上方からで挟まれた状態で加圧される。これにより、連結端部１７の突出部分が、径方向の両側が加圧によって潰されて凹んだ幅広の止め部１８に形成される。止め部１８の幅広部分は、取付筒部３１の軸孔３１の径より長く、横穴２９ｂより短くなっている。そのため、連結端部１７は、止め部１８によって取付筒部１８から抜け止めされると共に、横穴２９ｂに引っ掛かることなく自由に回動できるようになる。
【００２１】
つぎに、振止めサポート１０の使用方法について説明する。図１、図２に示すように、建物内側と外側の境界に型枠支持金具４１が配設され、その両端に型枠４２，４３が対向して立設され、型枠４２，４３の上端間も型枠支持金具４４によって固定される。型枠支持金具４１下方の建物の内側にコンクリート層であるコンクリートベースＢが打設される。コンクリートベースＢの硬化した後、型枠４２，４３間にコンクリートが打設される前に両型枠４２，４３が振止めサポート１０によって支持される。
【００２２】
振止めサポート１０により建物内側に立設された型枠４２を支持する場合は、第１棒部材１１の取付部１２が型枠４２のリブ４２ａに設けた図示しない取付孔に嵌め合わせて取り付け、第２棒部材１５に対して固定板材２５を傾斜させてコンクリートベースＢ上に載置し、固定孔２８にくぎ３３等を打ち込んでコンクリートベースＢに固定させる。これにより、振止めサポート１０は、コンクリートベースＢ側でも型枠４２を安定な状態で支持することができる。このように、本実施例に係る振止めサポート１０は、従来の振止めサポートでは使用できなかったコンクリートベースＢ上でも型枠４２の支持に使用が可能である。
【００２３】
また、この振止めサポート１０を建物外側で型枠４３支持する場合は、従来の振止めサポートと同様に第２棒部材１５に対して固定板材２５を直角な状態に保持して地面Ｇに打ち込んで固定させることができる。それにより、振止めサポート１０は、地面Ｇ側でも型枠４３を安定な状態で支持することができる。その結果、本実施例によれば、型枠４２，４３を支持する側が地面であるとコンクリートであるとに関わらず振止めサポート１０を使用できるので便利である。
【００２４】
また、本実施例においては、振止めサポート１０の固定板材２５が第２棒部材１５に対して回動可能になっているため、振止めサポート１０の使用後に固定板材２５を回動させて第２棒部材１５に簡易に重ね合わせることができる。そのため、振止めサポート１０が平坦でコンパクトにまとめられので、その占有空間が従来のものに比べて大幅に減少する。その結果、本実施例においては、多数の振止めサポート１０の運搬や保管の際に、そのための手間や保管スペースが大幅に削減され、そのためのコストも削減される。
【００２５】
また、本実施例においては、連結部材２１が鉄製のパイプであって、絞り加工によって両端側が縮径されて内周面にねじ溝を有する取付端部２３となっているため、簡易に製造可能であり、従来の連結部材に比べて安価に提供される。また、連結部材２１はパイプ形状なので、引っ張り強度に加えて曲げ強度も強く確保される。さらに、連結部材２１は、パイプ加工により形成されるので、長さの調整も可能であるため、型枠の高さに応じた長い振止めサポートを実現するためにも寄与できる。
【００２６】
上記実施例の変形例１として、振止めサポート１０において、連結部材２１の代わりに図１０に示す従来の連結金具３を用いることも可能である。変形例１の振止めサポート（図示しない）を用いることによっても、上記実施例に示した、型枠４２，４３を支持する側が地面であるとコンクリートであるとに関わらず振止めサポートを使用できるという効果が得られる。
【００２７】
また、上記実施例の変形例２として、振止めサポート１０において、第２棒部材１５と固定板材２５の代わりに、図９に示す従来の第２棒部材４と固定板材５とを用いることも可能である。変形例２の振止めサポート（図示しない）を用いることによっても、連結部材２１を用いることによる上述した効果が得られる。その他、上記実施例に示した振止めサポートの具体的な構造については、一例であり、本発明の主旨を逸脱しない範囲において種々変更して実施することが可能である。
【符号の説明】
【００２８】
１０…振止めサポート、１１…第１棒部材、１５…第２棒部材、１７…連結端部、２１…連結部材、２３…取付端部、２５…固定板材、２９…取付孔、３１…取付筒部。
【図１】
2014173349.tif 000003
【図２】
2014173349.tif 000004
【図３】
2014173349.tif 000005
【図４】
2014173349.tif 000006
【図５】
2014173349.tif 000007
【図６】
2014173349.tif 000008
【図７】
2014173349.tif 000009
【図８】
2014173349.tif 000010
【図９】
2014173349.tif 000011
【図１０】
2014173349.tif 000012